(57)【要約】      （修正有）【課題】市場における生理用ナプキン、おむつを使用する時には蒸し暑い感じがして細菌も繁殖し、固体酸化剤を加える場合には強アルカリが皮膚を傷つけるという問題があることから考え、発明者は長時間構想し研究した後、本発明によって個人用衛生用品に設置できる肌触りの良い酸素供給構造を提供する。【解決手段】酸素を供給する肌触りの良い吸収構造１は、吸収層１０１と、肌触りの良い酸素供給ユニット１０２とを含み、肌触りの良い酸素供給ユニットは、吸収層の一部分または全部の範囲に均一に分布し、酸素供給ユニットとｐＨ調節ユニットとを含む。酸素を供給する肌触りの良い吸収構造が液体を吸収した後のｐＨ値はｐＨ４〜９である。【選択図】図２
2018000955.tif 000002
【特許請求の範囲】
【請求項１】
酸素を供給する肌触りの良い吸収構造であって、
吸収層と、肌触りの良い酸素供給ユニットとを含み、
前記肌触りの良い酸素供給ユニットは、吸収層の一部分または全部の範囲に均一に分布し、
前記肌触りの良い酸素供給ユニットは、酸素供給ユニットと、ｐＨ調節ユニットとを含み、
前記酸素供給ユニットは、固体の金属過酸化物であり、
前記金属過酸化物は、過酸化マグネシウム、過酸化カルシウム、過酸化ナトリウム及び過酸化カリウムからなるグループから選択され、
前記ｐＨ調節ユニットは、固体酸であり、
液体を吸収した後のｐＨ値はｐＨ４〜９である、酸素を供給する肌触りの良い吸収構造。
【請求項２】
前記酸素供給ユニットには、更にカタラーゼを追加できることを特徴とする、請求項１に記載の酸素を供給する肌触りの良い吸収構造。
【請求項３】
前記固体酸は、固体クエン酸、固体乳酸、固体乳酸カルシウム、固体シュウ酸、固体塩酸、固体フィチン酸と固体ケイ酸からなるグループから選択されることを特徴とする、請求項１に記載の酸素を供給する肌触りの良い吸収構造。
【請求項４】
個人用衛生用品に設置でき、前記個人用衛生用品は、絆創膏、創傷被覆材、マスク、ヘルメット、生理用ナプキン、タンポン、産褥マット、おむつ、おむつパンツ、胸ペースト、インソール、使い捨て下着、酸素供給パッチユニットを含むことを特徴とする、請求項１に記載の酸素を供給する肌触りの良い吸収構造。
【請求項５】
前記酸素供給ユニット及び前記ｐＨ調節ユニットの比較的良い比率は、１部の前記酸素供給ユニットに対し１〜３部の前記ｐＨ調節ユニットであることを特徴とする、請求項１に記載の酸素を供給する肌触りの良い吸収構造。
【請求項６】
前記酸素供給ユニット及び前記ｐＨ調節ユニットの最適な比率は、１部の前記酸素供給ユニットに対し１．５〜２部の前記ｐＨ調節ユニットであることを特徴とする、請求項１に記載の酸素を供給する肌触りの良い吸収構造。
【請求項７】
前記酸素供給ユニットにおけるカタラーゼの比較的良い含有量は０．１〜５％であることを特徴とする、請求項２に記載の酸素を供給する肌触りの良い吸収構造。
【請求項８】
前記酸素供給ユニットにおけるカタラーゼの最適な含有量は０．５〜２％であることを特徴とする、請求項２に記載の酸素を供給する肌触りの良い吸収構造。
【請求項９】
液体を吸収した後の比較的良いｐＨ値はｐＨ４〜７であることを特徴とする、請求項１に記載の酸素を供給する肌触りの良い吸収構造。
【請求項１０】
液体を吸収した後の最適なｐＨ値はｐＨ４〜５．５であることを特徴とする、請求項１に記載の酸素を供給する肌触りの良い吸収構造。
【発明の詳細な説明】
【技術分野】
【０００１】
本発明は、個人用衛生用品に配置可能な、酸素を供給する肌触りの良い吸収構造に関し、該肌触りの良い吸収構造は、液体を吸収した後酸素を放出し、且つ、そのｐＨ値は、肌触りの良い中性、弱酸性及び弱アルカリ性に維持され、皮膚に刺激を引き起こすことがない。
【背景技術】
【０００２】
市場には、さまざまな生理用ナプキン、おむつ、おむつパンツ、胸ペースト、インソール、使い捨て下着、酸素供給パッチユニットなどの人体の表面に接触する個人用衛生用品が販売される。これらの衛生用品の大多数は、それ自身の各層の構造の特性、及び、着用時の快適性と利便性を強調しがちだが、身に着けている時に、どのように人体の健康を維持するのかはより重要である。
【０００３】
女性は月経期間中に生理用ナプキン、タンポンを使い、赤ちゃんと子供はトイレに行くことを制御できる前おむつやおむつパンツを使い、老人や身体の不自由な人も大人用おむつを使う必要があるため、生理用ナプキン、タンポン、おむつ、おむつパンツや大人用おむつの主成分は吸水性のコットン、不織布や高分子繊維であり、使用する際には下半身の全部や一部分をカバーする。
【０００４】
生理用ナプキン、おむつ、おむつパンツを使う時、普通、初めに着用する時には快適であるが、一定期間の経過後、血液、尿、汗などの液体が入ると共に、ユーザが湿ったような不快な感じがする原因は、材料の柔軟性が悪いことや、不良材料や蛍光材料が引き起こす過敏の他、生理用ナプキン、おむつ、おむつパンツに漏れ防止の設計がされ、且つ皮膚に密着しほとんど密閉された小環境が形成されることである。
【０００５】
生理用ナプキン、おむつ、おむつパンツを着用する時の密閉された小環境では、血液、尿、汗などの液体を吸収するため湿度が増える上、体の表面が密閉された環境において体温が上がることが蒸し暑い不快さを引き起こす。その他、個人用衛生用品は無菌設計ではなく、さらに周辺の環境、体の表面及び体液に細菌、カビ、真菌を含むかもしれず、体液中の蛋白質、糖分及び塩分は微生物に栄養を提供でき、このような高温、高湿度と高栄養の環境においてカビ、真菌が繁殖し、低酸素になると嫌気性細菌も大量に繁殖する。そこで、衛生用品を適時に切り替えない場合は感染を引き起こす可能性も高いため、生理用ナプキン、おむつ、おむつパンツなどの個人用衛生用品などの半密閉された小環境に、どのように安全で便利に酸素を供給するのかは、国民の関心をそそる課題になっている。
【０００６】
従来技術では、過酸化物を固体酸化剤として、それにより身の回りに酸素を生成する。日本特開（ＪＰＡ・２００４５３６０１０）には化学的な酸素発生装置が開示され、アルカリ土類金属（ＬｉＣｌＯ４、ＬｉＣｌＯ３、ＮａＣｌＯ４、ＮａＣｌＯ３、ＫＣｌＯ４、ＫＣｌＯ３）、過酸化物（Ｎａ２Ｏ２、Ｋ２Ｏ２）、超酸化物（ＫＯ２、ＮａＯ２）で酸素を生成する。台湾特開（申請番号０８３２０６０７６）には酸素再生タンクを有するマスクが開示され、過酸化ナトリウムで酸素を生成する。上記の二種類の技術は酸素を供給できるが、もし人体の皮膚に接触する生理用ナプキン、おむつ、おむつパンツなどの個人用衛生用品に応用すれば、強すぎるアルカリ性が人体の健康に刺激と危害をもたらす。
【０００７】
健康な皮膚は弱酸性で、アルカリ性の強い衛生用品に接触する場合は皮膚に強烈な刺激、その上腐食性まで与える。米国特開（公開番号ＵＳ２０１５０１８２６５５）は二元の臭気制御システム（Ｂｉｎａｒｙ  ｏｄｏｒ  ｃｏｎｔｒｏｌ  ｓｙｓｔｅｍ  ｆｏｒ  ａｂｓｏｒｂｅｎｔ  ａｒｔｉｃｌｅｓ）であり、過酸化カリウムにクエン酸を加えておむつの臭気を除き、０．９％のクエン酸と３％のｌｘｐｅｒ７５Ｃ（７５％の過酸化カリウムを含む）を含むパルプを使用することで、良好な臭気制御効果を有するが、酸素の生成と肌触りの良いｐＨ値の維持という問題を解決できなかった。
【０００８】
それにより、生理用ナプキン、おむつ、おむつパンツ、胸ペースト、インソール、使い捨て下着、酸素供給パッチユニットなどの個人用衛生用品において、どのように酸素を提供し、さらに、中性、弱酸性や弱アルカリ性などの肌触りの良いｐＨ値を維持できるかは、本発明がここで解決しようとする重要な課題である。
【発明の概要】
【発明が解決しようとする課題】
【０００９】
市場における生理用ナプキン、おむつを使用する時には蒸し暑い感じがして細菌も繁殖し、固体酸化剤を加える場合には強アルカリが皮膚を傷つけるという問題があることから考え、発明者は長時間構想し研究した後、本発明によって個人用衛生用品に設置できる肌触りの良い酸素供給構造を提供する。該肌触りの良い酸素供給構造は、液体を吸収した後酸素を放出し、且つ、ｐＨ値が肌触りの良い中性、弱酸性及び弱アルカリ性に維持され、小環境における酸素の含有量を向上させて嫌気性細菌を抑制する効果を生じ、且つ、肌触りの良いｐＨ値は皮膚を傷つけない。
【課題を解決するための手段】
【００１０】
本発明の目的は、酸素を供給する肌触りの良い吸収構造を提供することであり、該肌触りの良い吸収構造は、吸収層と肌触りの良い酸素供給ユニットとを含む。肌触りの良い酸素供給ユニットは、吸収層の一部分または全部の範囲に均一に分布し、酸素供給ユニットとｐＨ値調節ユニットとを含む。その中の該酸素供給ユニットは、固体の金属過酸化物を含み、該金属過酸化物は、過酸化マグネシウム、過酸化カルシウム、過酸化ナトリウム及び過酸化カリウムからなるグループから選択される。該ｐＨ値調節ユニットは、固体酸を含む。該肌触りの良い吸収構造が液体を吸収した後のｐＨ値は、ｐＨ４〜９である。
【００１１】
発明の前記目的を達成するために、該酸素供給ユニットには、更にカタラーゼを加えることができる。
【００１２】
発明の前記目的を達成するために、該金属過酸化物は、過酸化マグネシウム、過酸化カルシウム、過酸化ナトリウム及び過酸化カリウムからなるグループから選択される。
【００１３】
発明の前記目的を達成するために、該固体酸は、固体クエン酸、固体乳酸、固体乳酸カルシウム、固体シュウ酸、固体塩酸、固体フィチン酸及び固体ケイ酸からなるグループから選択される。
【００１４】
発明の前記目的を達成するために、酸素を供給する肌触りの良い吸収構造は、個人用衛生用品に設置でき、該個人用衛生用品は絆創膏、創傷被覆材、マスク、ヘルメット、生理用ナプキン、タンポン、産褥マット、おむつ、おむつパンツ、胸ペースト、インソール、使い捨て下着、酸素供給パッチユニットを含む。
【００１５】
発明の前記目的を達成するために、該酸素供給ユニット及びｐＨ調節ユニットの比較的良い比率は、１部の酸素供給ユニットに対し１〜３部のｐＨ調節ユニットである。
【００１６】
発明の前記目的を達成するために、該酸素供給ユニット及びｐＨ調節ユニットの最適な比率は、１部の酸素供給ユニットに対し１．５〜２部のｐＨ調節ユニットである。
【００１７】
発明の前記目的を達成するために、酸素供給ユニットにおけるカタラーゼの比較的良い含有量は０．１〜５％である。
【００１８】
発明の前記目的を達成するために、酸素供給ユニットにおけるカタラーゼの最適な含有量は０．５〜２％である。
【００１９】
発明の前記目的を達成するために、該肌触りの良い吸収構造が液体を吸収した後の比較的良いｐＨ値はｐＨ４〜７である。
【００２０】
発明の前記目的を達成するために、該肌触りの良い吸収構造が液体を吸収した後の最適なｐＨ値はｐＨ４〜５．５である。
【図面の簡単な説明】
【００２１】
【図１】本発明の案内図であって、酸素を供給する肌触りの良い吸収構造は、肌触りの良い酸素供給ユニットと吸収層とを含み、肌触りの良い酸素供給ユニットは、吸収層の全部の範囲に均一に分布することを示す。
【図２】本発明の案内図であって、酸素を供給する肌触りの良い吸収構造は、肌触りの良い酸素供給ユニットと吸収層とを含み、肌触りの良い酸素供給ユニットは、吸収層の一部分の範囲に均一に分布することを示す。
【図３】本発明の比較的良い実施例の案内図であって、酸素を供給する肌触りの良い吸収構造が生理用ナプキンに設置されることを示す。
【図４】本発明の比較的良い実施例の案内図であって、酸素を供給する肌触りの良い吸収構造が絆創膏に設置されることを示す。
【図５】本発明の比較的良い実施例の案内図であって、酸素を供給する肌触りの良い吸収構造がおむつに設置され、おむつは一つ以上の酸素を供給する肌触りの良い吸収構造を含有できることを示す。
【発明を実施するための形態】
【００２２】
本発明は下記の実施例で説明されるが、下記の実施例に制限されない。
【００２３】
本発明は酸素を供給する肌触りの良い吸収構造であり、水分を吸収した後酸素を供給でき、ｐＨ値は肌触りの良い中性、弱酸性及び弱アルカリ性に維持される。該酸素を供給する肌触りの良い吸収構造（１）は、吸収層（１０１）と肌触りの良い酸素供給ユニット（１０２）とを含み、肌触りの良い酸素供給ユニットは吸収層の全部（図１）や一部分（図２）の範囲に均一に分布する。図３，４，５に示すように、この酸素を供給する肌触りの良い吸収構造（１）は、生理用ナプキン（３）、絆創膏（４）やおむつ（５）などの個人用衛生用品に設置でき、小環境における酸素を増やし、酸素の増加も嫌気性細菌の成長も抑制できる。
【００２４】
＜実施例１＞
【００２５】
過酸化マグネシウムと乳酸を含むおむつ
２ＭｇＯ２＋２Ｈ２Ｏa２Ｍｇ（ＯＨ）２＋Ｏ２
２ＣＨ３ＣＨ（ＯＨ）ＣＯＯＨ＋Ｍｇ（ＯＨ）２a（Ｃ３Ｈ５Ｏ３）２Ｍｇ＋２Ｈ２Ｏ
【００２６】
おむつに過酸化マグネシウムと乳酸が含まれ、おむつは、使用されない時には乾燥しており、中にある過酸化マグネシウムと乳酸は全部固体状で、ｐＨ値に影響しない。おむつが使用される時には、中にある過酸化マグネシウムが尿にある水分を吸収して水酸化マグネシウムと酸素を生成し、そこでおむつの小環境にある水分は少なくなり酸素は増え、嫌気性菌の成長が抑制される。中にある乳酸が水酸化マグネシウムと反応すると、乳酸が水素イオン（Ｈ＋）を放出し、水酸化マグネシウムの水酸化物（ＯＨ−）との中和反応を経て、乳酸マグネシウム及び水に転化される。乳酸マグネシウムは弱酸性で、皮膚を傷つけず、且つ少量の酸素を生成する。
【００２７】
＜実施例２＞
【００２８】
過酸化カルシウムとクエン酸を有する生理用ナプキン
生理用ナプキンに１グラムの過酸化カルシウムと２グラムのクエン酸が含まれ、生理用ナプキンは、使用されない時には乾燥しており、中にある過酸化カルシウムとクエン酸は全部固体状で、ｐＨ値に影響しない。生理用ナプキンが使用される時には、中にある過酸化カルシウムが血液にある水分を吸収して水酸化カルシウムと酸素を生成し、クエン酸が水酸化カルシウムと反応すると、クエン酸は水素イオン（Ｈ＋）を放出し、水酸化カルシウムの水素化物（ＯＨ−）との中和反応を経る。生理用ナプキンにおける１グラムの過酸化カルシウム、２グラムのクエン酸を１００ｍＬの水に加え、５分間十分に撹拌した時のｐＨ値は４．８２で弱酸性であり、且つ少量の酸素が生成された。従来技術（ＵＳ２０１５０１８２６５５）の０．９％のクエン酸と３％のｌｘｐｅｒ７５Ｃ（７５％の過酸化カルシウムを含む）を含むパルプに対して、同じ比率の２．２５グラムの過酸化カルシウムと０．９５グラムのクエン酸を１００ｍＬの水に加え、５分間十分に撹拌した時のｐＨ値は１２．１０まで達し、酸素の代わりに、大量の過酸化水素を生成するので、皮膚に対する脅威は大きい。
１グラムの過酸化カルシウムと２グラムのクエン酸に水を加えた後、酸素はゆっくりと生成され、更にカタラーゼを加えると、中にある過酸化カルシウムは水分を吸収して水酸化カルシウムと過酸化水素を生成する。過酸化水素はカタラーゼ（ｃａｔａｌａｓｅ、ＣＡＴと略称される）と反応すると迅速に酸素を生成する。クエン酸が水酸化カルシウムと反応すると、クエン酸は水素イオンを（Ｈ＋）を放出し、水酸化カルシウムの水素化物（ＯＨ−）との中和反応を経る。反応式は以下のとおりである。
【数１】
2018000955.tif 000003
１グラムの過酸化カルシウム、２グラムのクエン酸とカタラーゼを１００ｍＬの水に加え、５分間十分に撹拌した時には酸素が迅速に生成され、嫌気性菌の成長が抑制される。液体のｐＨ値は４．８２で、弱酸性であり、このｐＨ値は皮膚を刺激せず快適な感じを引き起こす。
【００２９】
＜実施例３＞
【００３０】
酸素を生成できる肌触りの良いｐＨ値の絆創膏
【００３１】
絆創膏の吸水層は、固体乳酸が散布された繊維、固体シュウ酸が散布された繊維、及び固体過酸化ナトリウムが散布された繊維を含み、絆創膏が使用されない時には乾燥しており、中にある乳酸、シュウ酸と過酸化ナトリウムは全部固体状で、ｐＨ値に影響しない。
絆創膏が使用される時には、傷口からの血液中の水分を吸収して乳酸ナトリウム、シュウ酸ナトリウムと酸素が生成される。この時、絆創膏の小環境における水分は少なくなり酸素は増えるので、嫌気性菌の成長が抑制され、且つ、乳酸、シュウ酸と過酸化ナトリウムの比率が調節され、これにより水と反応した後のｐＨ値がｐＨ４〜９になり、皮膚を傷つけない。
＜実施例４＞
【００３２】
酸素を安定的に生成できる肌触りの良いｐＨ値の生理用ナプキン
【００３３】
生理用ナプキンは、５部の過酸化カルシウム、２．３部のシュウ酸、６部のクエン酸と０．０５部のカタラーゼを含み、生理用ナプキンが使用されない時には乾燥しており、中にある過酸化カルシウム、シュウ酸、クエン酸とカタラーゼは全部固体状で、ｐＨ値に影響しない。生理用ナプキンが使用される時には、中にある過酸化カルシウムが血液にある水分を吸収して水酸化カルシウムと過酸化水素を生成し、過酸化水素がカタラーゼと反応すると迅速に酸素を生成し、シュウ酸、クエン酸が水酸化カルシウムと反応すると、シュウ酸、クエン酸が水素イオン（Ｈ＋）を放出し、水酸化カルシウムの水酸化物（ＯＨ−）との中和反応を経る。生理用ナプキンにおける５部の過酸化カルシウム、２．３部のシュウ酸、６部のクエン酸と０．０５部のカタラーゼを１００ｍＬの水に加え、５分間十分に撹拌した時には酸素が迅速に生成され、嫌気性菌の成長が抑制される。液体のｐＨ値は４．８２で、弱酸性であり、このｐＨ値は皮膚を刺激せず快適な感じを引き起こす。
異なる金属過酸化物と異なる固体酸を組み合わせることができる。金属過酸化物は、過酸化マグネシウム、過酸化カルシウム、過酸化ナトリウム、過酸化カリウムを含み、固体酸は、クエン酸、乳酸、乳酸カルシウム、シュウ酸、塩酸、フィチン酸とケイ酸を含む。異なる比率の金属過酸化物と固体酸を組み合わせ、水を加えた後のｐＨ値はｐＨ４〜９であるので皮膚を刺激せず、水を加えた後のｐＨ値はｐＨ４〜５．５であるので皮膚に快適な感じを引き起こす。
【００３４】
＜実施例５＞
【００３５】
酸素供給パッチユニット
【００３６】
吸収層の材料は、不織布、ガーゼなどの吸水材料を含み、固体酸化物、固体酸、カタラーゼを均一に混合してから吸収層に散布して酸素供給パッチユニットを作製する。酸素供給パッチユニットは、人体の酸素の供給を必要とする部位、例えば傷口に貼ることができ、直接に酸素供給パッチユニットを使う他、傷口を絆創膏で巻いた後、酸素供給パッチユニットを絆創膏の外にカバーする。この際に傷口が生成する水分は絆創膏を経由して酸素供給パッチユニットまで放出され、酸素供給パッチユニットは酸素を生成して絆創膏によって傷口まで達する。この際に傷口の外、かつ、酸素供給パッチユニット内の小環境では、酸素が大量に増えて肌触りの良いｐＨが維持される。
【００３７】
上記の詳細な説明は、本発明の実施可能な実施例に関する具体的な説明であるが、本発明の特許請求の範囲は該実施例に限られず、本発明の技術的思想から離れない同じ効果をもたらす実施又は変更は、全て本発明の特許請求の範囲に属するべきである。
【００３８】
上記の複数の効果は、新規性及び進歩性を十分満たす法定的な特許要件であるため、法律によって申請を出願し、創作を奨励するために、貴局が本発明の特許請求の範囲を審査の上許可することを懇請いたします。
【符号の説明】
【００３９】
１      肌触りの良い吸収構造
１０１  吸収層
１０２  肌触りの良い酸素供給ユニット
２      生理用ナプキン
３      絆創膏
４      おむつ
【図１】
2018000955.tif 000004
【図２】
2018000955.tif 000005
【図３】
2018000955.tif 000006
【図４】
2018000955.tif 000007
【図５】
2018000955.tif 000008